(57)【要約】【課題】一方の保持枠を回動させた場合、他方の保持枠も回動させてしまうことを低減させるための構成を、簡易な構成で実現する光学部品用筐体を提供することである。【解決手段】光学部品用筐体４７は、下部筐体４７１と、上部筐体４７２と、保持枠４４６（入射側偏光板４４２Ａを保持する偏光板保持枠４４６１と、視野角補正板４４４を保持する補正板保持枠４４６２）と、偏光板保持枠４４６１または補正板保持枠４４６２の回動を補助する回動補助部４４８と、を有し、偏光板保持枠４４６１は、回動面４４６１Ｂ１を有し、上部筐体４７２の有する支持面４４７１Ａを摺動して照明光軸Ｌを中心に回動し、補正板保持枠４４６２は、第２案内面４４６２Ｂ４を有し、回動面４４６１Ｂ１の逆側の面の第１案内面４４６１Ｂ２に案内される回動補助部４４８を介して摺動することで照明光軸Ｌを中心に回動する。【選択図】図７
2009086572.tif 000002
【特許請求の範囲】
【請求項１】
光源から射出された光束の照明光軸が設定され、当該照明光軸上の所定の位置に複数の光学部品を配置し、当該複数の光学部品に対し、前記照明光軸を中心に回動させて前記光学部品の取付け位置を調整する光学部品用筐体であって、
前記複数の光学部品が設置される下部筐体と、
前記下部筐体を閉塞する蓋状の上部筐体と、
前記光学部品のうちのいずれかの光学部品を保持して前記所定の位置に配置する第１保持枠と、前記第１保持枠に保持される光学部品に近接配置される光学部品を保持して前記所定の位置に配置する第２保持枠とを有する保持枠と、
前記第１保持枠または前記第２保持枠の回動を補助する回動補助部と、を有して構成され、
前記上部筐体には、前記照明光軸を中心とする円弧状の曲面として構成され、前記第１保持枠および前記第２保持枠のうちのいずれか一方の保持枠を回動可能に支持する支持面を有し、
前記一方の保持枠は、前記支持面に相対する回動面を有し、当該回動面が前記支持面を摺動することで前記照明光軸を中心に回動し、また、前記一方の保持枠は、前記回動面の逆側の面に前記回動補助部を案内する第１案内面を有し、
他方の保持枠は、前記回動補助部を案内する第２案内面を有し、当該第２案内面が前記第１案内面に案内される前記回動補助部を介して摺動することで前記照明光軸を中心に回動することを特徴とする光学部品用筐体。
【請求項２】
請求項１に記載の光学部品用筐体であって、
前記第１保持枠および前記第２保持枠には、回動方向に沿って延び、少なくとも一部が互いに平面的に干渉する長孔がそれぞれ形成され、
前記上部筐体の前記支持面には、前記各長孔を介して挿通されて前記第１保持枠と前記回動補助部と前記第２保持枠とを固定する固定部材が取付けられる固定部材取付部を有していることを特徴とする光学部品用筐体。
【請求項３】
請求項１または請求項２に記載の光学部品用筐体であって、
前記回動補助部は、円盤状の部材で構成されていることを特徴とする光学部品用筐体。
【請求項４】
請求項１または請求項２に記載の光学部品用筐体であって、
前記回動補助部は、薄板状の部材で構成されていることを特徴とする光学部品用筐体。
【請求項５】
請求項１または請求項２に記載の光学部品用筐体であって、
前記回動補助部は、線状の部材で構成されていることを特徴とする光学部品用筐体。
【請求項６】
請求項１または請求項２に記載の光学部品用筐体であって、
前記回動補助部は、前記第１案内面および前記第２案内面のうちのいずれか一方の案内面に凸状に形成される突起部で構成されていることを特徴とする光学部品用筐体。
【請求項７】
光源から射出された光束の光路上に設置される複数の光学部品と、請求項１〜請求項６のいずれか一項に記載の光学部品用筐体と、を備えていることを特徴とする光学装置。
【請求項８】
請求項７に記載の光学装置であって、
前記複数の光学部品は、前記光源から射出された光束を画像情報に応じて変調する光変調装置と、入射する光束の偏光軸を変換する偏光板と、前記光変調装置から射出される光束の視野角を拡大する光学補償手段と、を含んで構成され、
前記保持枠は、前記偏光板および前記光学補償手段を保持することを特徴とする光学装置。
【請求項９】
光源と、当該光源から射出された光束を画像情報に応じて変調して光学像を形成する光変調装置と、当該光変調装置で形成された前記光学像を投写する投写光学装置とを備えたプロジェクタであって、
請求項７または請求項８に記載の光学装置を備えていることを特徴とするプロジェクタ。
【発明の詳細な説明】
【技術分野】
【０００１】
本発明は、光学部品用筐体、光学装置、およびプロジェクタに関する。
【背景技術】
【０００２】
従来、プロジェクタにおける光学部品の取付け位置を調整する機構を含む光学部品用筐体として、特許文献１が開示されている。詳細には、この特許文献１に開示される光学部品用筐体は、複数の光学部品が設置される下部筐体と、この下部筐体を閉塞する蓋状の上部筐体と、入射側偏光板および視野角補正板を保持して下部筐体内の所定位置に設置する光学部品保持枠とを備えている。そして、上部筐体の上面には、光学部品保持枠を回動可能に支持する光学部品保持枠支持面が形成されている。また、光学部品保持枠は、入射側偏光板を保持する偏光板保持枠と、視野角補正板を保持する補正板保持枠とを備えている。そして、偏光板保持枠は、上部筐体の光学部品保持枠支持面上を摺動する第１曲面が構成されていると共に、補正板保持枠を回動可能に支持する回転案内面を有している。また、補正板保持枠は、回転案内面と当接し、視野角補正板を回動させる第２曲面が形成されていることが開示されている。
【０００３】
このような光学部品用筐体を用いて偏光板保持枠と補正板保持枠とを回動して偏光板と補正板との取付け位置を調整する場合。最初に、偏光板保持枠を、光学部品保持枠支持面上を摺動させて偏光板の取付け位置を調整する。次に、補正板保持枠を、偏光板保持枠に有する回転案内面に補正板保持枠に形成する第２曲面を当接させて摺動させることで、補正板の取付け位置を調整している。
【０００４】
【特許文献１】特開２００５−１２１８８０号公報
【発明の開示】
【発明が解決しようとする課題】
【０００５】
このような光学部品用筐体を用いて偏光板保持枠と補正板保持枠とを回動して偏光板と補正板との取付け位置を調整した場合。補正板保持枠を、偏光板保持枠の回転案内面に、補正板保持枠の第２曲面を当接して摺動させることにより、回転案内面も当接する第２曲面に従動して回動する場合があり、その場合には、調整が終了した偏光板の取付け位置を変化させてしまう。従って、調整が終了した光学部品の取付け位置を変化させずに、次の光学部品の取付け位置の調整が行える光学部品用筐体を、簡易な構成で実現することが課題となっている。
【課題を解決するための手段】
【０００６】
本発明は、上述した課題の少なくとも一部を解決するためになされたものであり、以下の形態または適用例として実現することが可能である。
【０００７】
（適用例１）本適用例に係る光学部品用筐体は、光源から射出された光束の照明光軸が設定され、照明光軸上の所定の位置に複数の光学部品を配置し、複数の光学部品に対し、照明光軸を中心に回動させて光学部品の取付け位置を調整する光学部品用筐体であって、複数の光学部品が設置される下部筐体と、下部筐体を閉塞する蓋状の上部筐体と、光学部品のうちのいずれかの光学部品を保持して所定の位置に配置する第１保持枠と、第１保持枠に保持される光学部品に近接配置される光学部品を保持して所定の位置に配置する第２保持枠とを有する保持枠と、第１保持枠または第２保持枠の回動を補助する回動補助部と、を有して構成され、上部筐体には、照明光軸を中心とする円弧状の曲面として構成され、第１保持枠および第２保持枠のうちのいずれか一方の保持枠を回動可能に支持する支持面を有し、一方の保持枠は、支持面に相対する回動面を有し、回動面が支持面を摺動することで照明光軸を中心に回動し、また、一方の保持枠は、回動面の逆側の面に回動補助部を案内する第１案内面を有し、他方の保持枠は、回動補助部を案内する第２案内面を有し、第２案内面が第１案内面に案内される回動補助部を介して摺動することで照明光軸を中心に回動することを特徴とする。
【０００８】
このような光学部品用筐体によると、光学部品用筐体は、下部筐体と、上部筐体と、第１保持枠と第２保持枠とを有する保持枠と、回動補助部と、を有して構成される。そして、第１保持枠および第２保持枠のうちのいずれか一方の保持枠は回動面を有し、上部筐体に構成された支持面を摺動して照明光軸を中心に回動することにより、一方の保持枠が保持する光学部品の取付け位置を調整する。また、他方の保持枠は、第２案内面を有し、第２案内面が第１案内面に案内される回動補助部を介して摺動することで照明光軸を中心に回動し、他方の保持枠が保持する光学部品の取付け位置を調整する。これにより、一方の保持枠を回動して光学部品の取付け位置の調整を行った後、他方の保持枠を回動させる場合、第２案内面は回動補助部を介して摺動することで、第２案内面は第１案内面と当接することがないため、他方の保持枠の回動が一方の保持枠を回動させることを低減できる。また、他方の保持枠の回動が一方の保持枠を回動させることを低減できる光学部品用筐体を、簡易な構成で実現することができる。
【０００９】
（適用例２）上記の光学部品用筐体であって、第１保持枠および第２保持枠には、回動方向に沿って延び、少なくとも一部が互いに平面的に干渉する長孔がそれぞれ形成され、上部筐体の支持面には、各長孔を介して挿通されて第１保持枠と回動補助部と第２保持枠とを固定する固定部材が取付けられる固定部材取付部を有していることが好ましい。
【００１０】
このような光学部品用筐体によると、第１保持枠および第２保持枠には、それぞれ長孔が形成され、各長孔は、少なくとも一部が互いに平面的に干渉する。また、上部筐体の支持面には、各長孔を介して挿通される固定部材が取付けられる固定部材取付部が形成されている。これにより、第１保持枠と回動補助部と第２保持枠とを、単一の固定部材により固定することができ、各保持枠の回動に応じた光学部品の最適な位置で上部筐体に各保持枠を固定できる。
【００１１】
（適用例３）上記の光学部品用筐体であって、回動補助部は、円盤状の部材で構成されていることが好ましい。
【００１２】
このような光学部品用筐体によると、回動補助部は、円盤状の部材で構成されている。円盤状の部材として、例えば、金属部材の座金（平座金）や、合成樹脂部材を加工したものを使用する場合、一方の保持枠の第１案内面と回動補助部材、第２案内面と回動補助部材との接触面積を低減できる。そのため、一方の保持枠を回動して光学部品の取付け位置の調整を行った後、他方の保持枠を回動させる場合、第２案内面は円盤状の部材を介して摺動することで、第２案内面は第１案内面と当接することがないことに加え、一方の保持枠の第１案内面と回動補助部材、第２案内面と回動補助部材との接触面積を低減することで、他方の保持枠の回動が一方の保持枠を回動させることを低減できる。また、回動補助部を円盤状の部材で構成するという簡易な構成で光学部品用筐体を実現できる。
【００１３】
（適用例４）上記の光学部品用筐体であって、回動補助部は、薄板状の部材で構成されていることが好ましい。
【００１４】
このような光学部品用筐体によると、回動補助部は、薄板状の部材で構成されることにより、一方の保持枠を回動して光学部品の取付け位置の調整を行った後、他方の保持枠を回動させる場合、第２案内面は薄板状の部材を介して摺動することで、第２案内面は第１案内面と当接することがないため、他方の保持枠の回動が一方の保持枠を回動させることを低減できる。また、回動補助部を薄板状の部材で構成するという簡易な構成で光学部品用筐体を実現できる。また、例えば、保持枠の部材に比べて、すべり易い面（摩擦を低減できる面）を有する金属部材や、合成樹脂部材を用いることで他方の保持枠の回動が一方の保持枠を回動させることを更に低減できる。
【００１５】
（適用例５）上記の光学部品用筐体であって、回動補助部は、線状の部材で構成されていることが好ましい。
【００１６】
このような光学部品用筐体によると、回動補助部は、線状の部材で構成されることにより、一方の保持枠を回動して光学部品の取付け位置の調整を行った後、他方の保持枠を回動させる場合、第２案内面は線状の部材を介して摺動することで、第２案内面は第１案内面と当接することがないため、他方の保持枠の回動が一方の保持枠を回動させることを低減できる。また、回動補助部を線状の部材で構成するという簡易な構成で光学部品用筐体を実現できる。また、回動補助部が線状の部材で構成されているため、一方の保持枠の第１曲面と回動補助部材、第２曲面と回動補助部材とは、線接触し、面接触する場合に比べて滑り易くさせることができる。そのため、他方の保持枠の回動が一方の保持枠を回動させることを更に低減できる。
【００１７】
（適用例６）上記の光学部品用筐体であって、回動補助部は、第１案内面および第２案内面のうちのいずれか一方の案内面に凸状に形成される突起部で構成されていることが好ましい。
【００１８】
このような光学部品用筐体によると、回動補助部が、第１案内面および第２案内面のうちのいずれか一方の案内面に凸状に形成される突起部で構成されることにより、例えば、一方の保持枠に突起部が構成された場合、他方の保持枠の第２案内面は突起部を介して摺動することで、第２案内面は第１案内面と当接することがない。また、他方の保持枠に突起部が構成された場合、一方の保持枠の第１案内面は突起部を介して摺動することで、第２案内面は第１案内面と当接することがない。これにより、一方の保持枠を回動して光学部品の取付け位置の調整を行った後、他方の保持枠を回動させる場合、他方の保持枠の回動が一方の保持枠を回動させることを低減できる。また、回動補助部を突起部で構成するという簡易な構成で光学部品用筐体を実現できる。
【００１９】
（適用例７）本適用例に係る光学装置は、光源から射出された光束の光路上に設置される複数の光学部品と、上述したいずれかに記載の光学部品用筐体と、を備えていることを特徴とする。
【００２０】
このような光学装置によると、光学装置は、上述した光学部品用筐体を備えているので、上述した光学部品用筐体と同様の作用・効果を享受できる。また、光学装置は、光学部品の位置調整可能な光学部品用筐体を備えているので、各光学部品の相互の位置ずれを回避し、良好な光学像を形成できる。
【００２１】
（適用例８）上記の光学装置であって、複数の光学部品は、光源から射出された光束を画像情報に応じて変調する光変調装置と、入射する光束の偏光軸を変換する偏光板と、光変調装置から射出される光束の視野角を拡大する光学補償手段と、を含んで構成され、保持枠は、偏光板および光学補償手段を保持することが好ましい。
【００２２】
ここで、偏光板としては、光変調装置の光路前段および光路後段に配置される入射側偏光板および射出側偏光板の双方を採用できる。また、光学補償手段は、入射側偏光板または射出側偏光板と、光変調装置との間に介装される視野角補正板等を採用できる。そして、保持枠としては、近接配置される２つの光学部品を保持する構成とすればよく、例えば、第１保持枠で入射側偏光板を保持し、第２保持枠で視野角補正板を保持する構成としてもよく、第１保持枠で射出側偏光板を保持し、第２保持枠で視野角補正板を保持する構成としてもよい。特に、第１保持枠で入射側偏光板を保持し、第２保持枠で視野角補正板を保持する構成が好ましい。
このような光学装置によれば、保持枠は、偏光板および光学補償手段を保持するので、例えば、第１保持枠で入射側偏光板を保持し、第２保持枠で視野角補正板を保持する構成とした場合には、第１保持枠を上部筐体に対して回動させることで、射出側偏光板に対する入射側偏光板の偏光軸の角度調整を実施できると共に、第２保持枠を回動部を介して第１保持枠に対して回動させることで、視野角補正板における視野角調整を効率的に実施できる。従って、このような光学装置により、高コントラストかつ視野角の良好な光学像を形成できる。
【００２３】
（適用例９）本適用例に係るプロジェクタは、光源と、光源から射出された光束を画像情報に応じて変調して光学像を形成する光変調装置と、光変調装置で形成された光学像を投写する投写光学装置とを備えたプロジェクタであって、上述したいずれか１つに記載の光学装置を備えていることを特徴とする。
【００２４】
このようなプロジェクタによると、プロジェクタは、上述した光学装置を備えているため、上述した光学装置と同様の作用・効果を享受できる。
また、例えば、３つの光変調装置と、これら光変調装置で変調されて形成された光学像を合成する色合成光学装置を備える三板式のプロジェクタの場合、例えば、各光変調装置に対応する偏光板および視野角補正板を３つの保持枠でそれぞれ位置調整する構成とすれば、それぞれの位置調整を効率的に行うことができると共に、高コントラスト比を実現しつつ、光変調装置毎に生じる視野角依存性による画面ムラを抑制し、色ムラのない投写画像を形成できる。
【発明を実施するための最良の形態】
【００２５】
以下、実施形態を図面に基づいて説明する。
（第１実施形態）
【００２６】
図１は、第１実施形態に係るプロジェクタの概略構成を示す図である。図１を参照して、プロジェクタ１の概略構成を説明する。
プロジェクタ１は、全体略直方体形状の外装ケース２と、プロジェクタ１内に滞留する熱を冷却する冷却ユニット３と、光源から射出された光束を光学的に処理して画像情報に対応した光学像を形成する光学装置としての光学ユニット４と、図示しない電源ケーブルを介して外部から供給された電力をプロジェクタ１の構成部に供給する電源ユニット５とを備えて構成されている。
【００２７】
外装ケース２は、それぞれ金属部材で構成され、プロジェクタ１の天面、前面、側面、および背面をそれぞれ構成するアッパーケース２１と、プロジェクタ１の底面、前面、側面、および背面をそれぞれ構成するロアーケース２２とで構成されている。これらのケース２１，２２は、互いにねじで固定されている。なお、外装ケース２は、金属製に限らず、合成樹脂で構成したものを採用してもよい。
【００２８】
アッパーケース２１の前面には、切欠部２１１が形成されており、前記ロアーケース２２と組み合わされた状態で、円形の開口部２Ａを形成し、この開口部２Ａから、外装ケース２内部に配置された光学ユニット４の後述する投写レンズ４６の一部が、外部に露出している。そして、この露出部分の一部である投写レンズ４６のレバー４６Ａを介して、投写レンズ４６のフォーカス操作が手動で実施可能となっている。また、開口部２Ａの反対側の位置には、冷却ユニット３によって、プロジェクタ１内部で温められた空気を外部に排出するための排気口２１２が形成されている。
【００２９】
アッパーケース２１の背面には、電源ユニット５に対向する位置（図１中、左側）に、冷却ユニット３によって外部から冷却空気を吸引するための吸気口２１３が形成されている。また、アッパーケース２１の背面には、図示は省略するが、コンピュータ接続用の接続部や、ビデオ入力端子、オーディオ機器接続端子等の各種の機器接続用端子が設けられており、該背面の内側には、映像信号等の信号処理を行う信号処理回路が実装されたインターフェース基板が配置されている。
【００３０】
ロアーケース２２の前面には、切欠部２２１が形成され、アッパーケース２１と組み合わされた状態で、上述した切欠部２１１と連続して円形の開口部２Ａを形成する。また、ロアーケース２２の前面で開口部２Ａの反対側（図１中、左側）の位置には、アッパーケース２１の前面に形成された排気口２１２と連続して、冷却ユニット３によって、プロジェクタ１内部で温められた空気を外部に排出するための排気口２２２が形成されている。
【００３１】
ロアーケース２２の背面には、図示は省略するが、アッパーケース２１の背面に形成された吸気口２１３と連続して、冷却ユニット３によって外部から冷却空気を吸引するための吸気口が形成されている。ロアーケース２２の底面には、図示は省略するが、光学ユニット４の後述する電気光学装置の下方に位置し、冷却ユニット３によって外部から冷却空気を吸引するための吸気口が形成されている。
【００３２】
冷却ユニット３は、プロジェクタ１の内部に形成される冷却流路に冷却空気を送り込み、プロジェクタ１内で発生する熱を冷却する。この冷却ユニット３は、光学ユニット４の後述する投写レンズ４６の側方に位置し、ロアーケース２２の底面に形成された図示しない吸気口から冷却空気を吸引する一対のシロッコファン３１，３２と、外装ケース２の背面近傍に位置し、該背面に形成された吸気口２１３から冷却空気を吸引する軸流吸気ファン３３と、外装ケース２の前面近傍に位置し、プロジェクタ１内の空気を引き寄せ、該前面に形成された排気口２１２，２２２から温められた空気を排出する軸流排気ファン３４とを備えて構成されている。
【００３３】
電源ユニット５は、プロジェクタ１内部において、外装ケース２の背面から前面にかけて延びるように配置されている。この電源ユニット５は、図示は省略するが、電源ケーブルを通して外部から供給された電力を、プロジェクタ１の構成部材に供給する電源と、光学ユニット４の後述する光源装置に、電源から供給された電力を供給するランプ駆動回路とを備えている。これら電源およびランプ駆動回路は、図示は省略するが、両端が開口されたアルミニウム等の金属製のシールド部材によって周囲を覆われている。そして、このシールド部材により冷却ユニット３の軸流吸気ファン３３から吸引された冷却空気が誘導されると共に、前記電源や前記ランプ駆動回路で発生する電磁ノイズが外部へ漏れないように構成されている。
【００３４】
図２は、光学ユニットを上方から見た斜視図である。図２を参照して、光学ユニット４の概略を説明する。
光学ユニット４は、詳細については後述するが、光源から射出された光束を、光学的に処理して画像情報に対応した光学像を形成し、この光学像を拡大して投写するユニットである。この光学ユニット４は、図１または図２に示すように、外装ケース２内において、前面側から背面側に延び、さらに、背面側に沿って延び、さらにまた、背面側から前面側へと延びる平面視略Ｕ字形状を有している。この光学ユニット４は、図示は省略するが、電源ユニット５と電気的に接続している。また、この光学ユニット４の上方には、画像情報に応じて光学像を投写するために、画像情報を取り込んで制御および演算処理等を行い、後述する光変調装置となる各液晶パネルを制御する制御基板が配置される。
【００３５】
図３は、光学ユニットの光学系を模式的に示す図である。図３を参照して光学ユニット４の構成を説明する。
光学ユニット４は、インテグレータ照明光学系４１と、色分離光学系４２と、リレー光学系４３と、電気光学装置４４と、投写光学装置としての投写レンズ４６と、これらの光学系４１〜４３および電気光学装置４４を構成する各光学部品を内部に収容すると共に、投写レンズ４６を所定位置で支持固定する光学部品用筐体４７（図２参照）とを備える。
【００３６】
インテグレータ照明光学系４１は、電気光学装置４４を構成する後述する各液晶パネルの画像形成領域を略均一に照明するための光学系である。このインテグレータ照明光学系４１は、光源装置４１３と、第１レンズアレイ４１８と、第２レンズアレイ４１４と、偏光変換装置４１５と、反射ミラー４２４と、重畳レンズ４１９とを備えている。
【００３７】
光源装置４１３は、放射状の光線を射出する放射光源としての光源ランプ４１１と、この光源ランプ４１１から射出された放射光を反射するリフレクタ４１２とを有する。光源ランプ４１１として、本実施形態では、高圧水銀ランプを用いている。光源ランプ４１１としては、高圧水銀ランプの他、ハロゲンランプやメタルハライドランプ等を用いることもできる。リフレクタ４１２として、本実施形態では、放物面鏡を用いている。なお、放物面鏡の他、平行化凹レンズと共に楕円面鏡を用いてもよい。
【００３８】
第１レンズアレイ４１８は、光軸方向から見て略矩形状の輪郭を有する小レンズがマトリクス状に配列された構成を有している。各小レンズは、光源ランプ４１１から射出される光束を、複数の部分光束に分割している。
【００３９】
第２レンズアレイ４１４は、第１レンズアレイ４１８と略同様な構成を有しており、小レンズがマトリクス状に配列された構成を有している。この第２レンズアレイ４１４は、重畳レンズ４１９と共に、第１レンズアレイ４１８の各小レンズの像を後述する液晶パネル上に結像させる機能を有している。
【００４０】
偏光変換装置４１５は、第２レンズアレイ４１４の後段に配置される。偏光変換装置４１５は、第２レンズアレイ４１４からの光を略１種類の偏光光に変換するものであり、これにより、電気光学装置４４での光の利用効率が高められている。偏光変換装置４１５によって略１種類の偏光光に変換された各部分光は、重畳レンズ４１９によって最終的に電気光学装置４４の後述する各液晶パネル上に略重畳される。偏光光を変換するタイプの液晶パネルを用いた本実施形態のプロジェクタ１では、１種類の偏光光しか利用できないため、他種類のランダムな偏光光を発する光源ランプ４１１からの光束の略半分が利用されない。このため、偏光変換装置４１５を用いることにより、光源ランプ４１１から射出された光束を略全て１種類の偏光光に変換し、電気光学装置４４での光の利用効率を高めている。
【００４１】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００４２】
なお、色分離光学系４２のダイクロイックミラー４２１では、インテグレータ照明光学系４１から射出された光束の青色光成分と緑色光成分とが透過すると共に、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１４から射出された各部分光束をその中心軸（主光線）に対して平行な光束に変換する。他の緑色光および青色光用の液晶パネルの光入射側に設けられたフィールドレンズ４１７も同様である。
【００４３】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、更にフィールドレンズ４１７を通って青色光用の液晶パネルに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００４４】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、クロスダイクロイックプリズム４４３とを備えている。
【００４５】
液晶パネル４４１Ｒ，４４１Ｇ，４４１Ｂは、例えば、ポリシリコンＴＦＴをスイッチング素子として用いたものであり、色分離光学系４２で分離された各色光は、これら３枚の液晶パネル４４１Ｒ，４４１Ｇ，４４１Ｂとこれらの光束入射側および射出側にある偏光板４４２によって、画像情報に応じて変調されて光学像を形成する。
【００４６】
偏光板４４２は、液晶パネル４４１（４４１Ｒ，４４１Ｇ，４４１Ｂ）の前段および後段に配置される入射側偏光板４４２Ａ、射出側偏光板４４２Ｂを備えている。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４７を構成する後述する調整機構により、光学部品用筐体４７内に設定される所定の照明光軸Ｌに対して位置調整可能に配置されている。なお、この調整機構については、光学部品用筐体４７を説明する際に説明する。
【００４７】
射出側偏光板４４２Ｂも、入射側偏光板４４２Ａと略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４３に貼り付けてもよい。これらの入射側偏光板４４２Ａ、射出側偏光板４４２Ｂは、互いの偏光軸の方向が直交するように設定されている。
【００４８】
視野角補正板４４４は、基板上に液晶パネル４４１（４４１Ｒ，４４１Ｇ，４４１Ｂ）で形成された光学像の視野角を補正する機能を有する光学変換膜が形成されたものである。このような視野角補正板４４４を配置することにより、黒画面時の光漏れを低減し投写画像のコントラストが大幅に向上する。そして、この視野角補正板４４４は、入射側偏光板４４２Ａと略同様に、光学部品用筐体４７を構成する後述する調整機構により、光学部品用筐体４７内に設定される所定の照明光軸Ｌに対して位置調整可能に配置されている。なお、この調整機構については、光学部品用筐体４７を説明する際に説明する。
【００４９】
クロスダイクロイックプリズム４４３は、３枚の液晶パネル４４１Ｒ，４４１Ｇ，４４１Ｂから射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００５０】
投写レンズ４６は、複数のレンズが組み合わされた組レンズとして構成され、クロスダイクロイックプリズム４４３で合成されたカラー画像をスクリーン上に拡大投写する。この投写レンズ４６には、複数のレンズの相対位置を変更するレバー４６Ａ（図１参照）を備え、投写されるカラー画像のフォーカス調整および倍率調整可能に構成されている。
【００５１】
以上説明した各光学系４１〜４４は、図２に示すように、光学部品用筐体４７内に収容されている。光学部品用筐体４７は、前述した各光学部品４１４，４１５，４１７〜４１９，４２１〜４２４，４３１〜４３４を上方からスライド式に嵌め込む溝部がそれぞれ設けられた下部筐体４７１と、下部筐体４７１の上部の開口側を閉塞する蓋状の上部筐体４７２とを備えて構成されている。また、光学部品用筐体４７は、後述する保持枠４４６と、後述する回動補助部４４８（図５参照）と、上部筐体４７２の一部に形成する保持枠位置調整部４４７とを備えて構成されている。
なお、保持枠４４６と回動補助部４４８と保持枠位置調整部４４７とにより、入射側偏光板４４２Ａおよび視野角補正板４４４の双方の位置調整を実施する位置調整機構４４５が構成されている。
【００５２】
また、図２に示すように、平面視略Ｕ字状の光学部品用筐体４７の一端側には、光源装置４１３が収容され、他端側には、該光学部品用筐体４７内に設定される照明光軸Ｌに対する所定位置に投写レンズ４６が固定されている。また、投写レンズ４６の光路前段には、電気光学装置４４が固定されている。
【００５３】
図４は、位置調整機構を構成する上部筐体における電気光学装置側の一部分を上方から見た図である。図５は、位置調整機構を構成する保持枠および回動補助部を上方から見た斜視図である。図６は、位置調整機構を構成する保持枠および回動補助部を下方から見た斜視図である。図２〜図６を参照し、位置調整機構４４５の構造を説明する。
【００５４】
位置調整機構４４５は、図２に示すように、入射側偏光板４４２Ａおよび視野角補正板４４４の双方を保持する保持枠４４６と、保持枠４４６の回動を補助する回動補助部４４８（図５参照）と、上部筐体４７２の上面に位置して位置調整可能に保持枠４４６を支持する保持枠位置調整部４４７とで構成される。なお、図２では、液晶パネル４４１Ｂ側の位置調整機構４４５は、保持枠位置調整部４４７を詳細に示すために保持枠４４６を省略している。
【００５５】
上部筐体４７２は、図２、図４に示すように、下部筐体４７１の開口部分のうち、前述した各光学部品４１４，４１５，４１７〜４１９，４２１〜４２４，４３１〜４３４が収容される開口部分を閉塞する。すなわち、上部筐体４７２は、図２、図４に示すように、光源装置４１３の光路後段側から電気光学装置４４の光路前段側にかけて下部筐体４７１の開口部分を閉塞する。そして、下部筐体４７１に上部筐体４７２が取付けられた状態では、電気光学装置４４の上方には電気光学装置４４を平面的に囲うように略矩形状の開口４７２Ａ（図４参照）が形成される構成となっている。
【００５６】
保持枠位置調整部４４７は、図２、図４に示すように、上部筐体４７２の上面に位置し、上部筐体４７２の開口４７２Ａ近傍に３つ設けられる。この保持枠位置調整部４４７は、保持枠４４６を回動可能に支持する保持枠支持部４４７１と、ドライバ等の先端を支持する調整部材先端支持部４４７２と、保持枠４４６における回動時の終端位置を規定する回転防止規制部４４７３とを備えている。
【００５７】
保持枠支持部４４７１は、上部筐体４７２の開口４７２Ａと平行な平面およびこの平面に直交する平面に沿って上部筐体４７２の上面に立設され、平面視略＋字状に形成されている。この保持枠支持部４４７１の上面には、光源装置４１３から射出された光束の照明光軸Ｌ（図３参照）を中心として、上方に凸となる平面視円弧状の支持面４４７１Ａが形成されている。この支持面４４７１Ａの略中央部分には、下方に向けて固定部材取付部としての固定用孔４４７１Ｂが形成されている。この固定用孔４４７１Ｂは、ねじ孔等の螺合構造を有するように形成されている。
【００５８】
調整部材先端支持部４４７２は、保持枠支持部４４７１の光路前段（上部筐体４７２の開口４７２Ａから離間する方向）に位置し、上部筐体４７２の上面に立設されている。この調整部材先端支持部４４７２の上面には、略Ｖ字状の切り欠きが形成され、谷部分が上部筐体４７２の開口４７２Ａと直交する方向に延び、該谷部分の延長線上に保持枠支持部４４７１の略中央部分が位置する。
【００５９】
回転防止規制部４４７３は、調整部材先端支持部４４７２の側方にそれぞれ位置し、上部筐体４７２の上面に立設されている。この回転防止規制部４４７３は、平面視略Ｌ字状に形成され、Ｌ字状の側面が調整部材先端支持部４４７２の上面に形成された切り欠きの谷部分に直角となるように設けられている。この回転防止規制部４４７３は、保持枠４４６における回動方向の終端位置を規定すると共に、保持枠４４６の後述する第１保持枠突出部４４６１Ｂの端面と当接し、保持枠４４６の位置ずれを防止する。
【００６０】
保持枠４４６は、保持枠位置調整部４４７に回動可能に支持され、入射側偏光板４４２Ａおよび視野角補正板４４４の位置調整可能に保持する。この保持枠４４６は、図５、図６に示すように、入射側偏光板４４２Ａを保持する第１保持枠としての偏光板保持枠４４６１と、視野角補正板４４４を保持する第２保持枠としての補正板保持枠４４６２とを備えている。そして、これら偏光板保持枠４４６１および補正板保持枠４４６２は、互いを重ねた形態として構成され、入射側偏光板４４２Ａおよび視野角補正板４４４をそれぞれ独立して位置調整可能としている。
【００６１】
また、偏光板保持枠４４６１と補正板保持枠４４６２との間には、後述する回動補助部４４８を構成する座金４４８１が介在されている。
【００６２】
図７は、保持枠と回動補助部と固定部材の斜視図および組立図である。図７を参照して、保持枠４４６（偏光板保持枠４４６１、補正板保持枠４４６２）、回動補助部４４８（座金４４８１）、および固定部材（ねじ４４６３）の構成と組み立ての説明を行う。
【００６３】
偏光板保持枠４４６１は、図７に示すように、略矩形板状の第１板状部材４４６１Ａと、この第１板状部材４４６１Ａの上方側端縁から板面の略法線方向に突出する第１保持枠突出部４４６１Ｂとを備え、これら第１板状部材４４６１Ａおよび第１保持枠突出部４４６１Ｂが一体的に形成されたものである。また、第１板状部材４４６１Ａの略中央部分には、開口部４４６１Ａ１が形成されている。また、第１板状部材４４６１Ａの開口部４４６１Ａ１周縁部分には、厚み方向に窪む凹部４４６１Ａ２が形成されている。この凹部４４６１Ａ２は、入射側偏光板４４２Ａの外形寸法と略同一の寸法を有し、その上端縁および下端縁には、第１板状部材４４６１Ａから光束射出側に突出し、入射側偏光板４４２Ａの外形位置基準面として機能する位置決め部４４６１Ａ３が形成されている。
【００６４】
入射側偏光板４４２Ａは、その外形を位置決め部４４６１Ａ３に合わせることで偏光板保持枠４４６１に対する位置が規定され、接着剤等を介して凹部４４６１Ａ２の所定位置に保持固定される。
【００６５】
また、第１板状部材４４６１Ａの上方側端縁略中央部分には、下方に向けて凸状となるように切り欠かれた係合部４４６１Ａ４が形成されている。そして、この係合部４４６１Ａ４は、外部の光軸調整専用の図示しない光軸調整治具と係合する。また、第１板状部材４４６１Ａの左右側端縁略中央部分には、第１板状部材４４６１Ａの板面に沿って外側に膨出する第１膨出部４４６１Ａ５が形成されている。そして、偏光板保持枠４４６１を下部筐体４７１内に設置した際には、下部筐体４７１内に形成された図示しない溝部に第１膨出部４４６１Ａ５が挿入され、偏光板保持枠４４６１が下部筐体４７１内に設定された照明光軸Ｌに沿った方向に移動することを防止する。また、第１膨出部４４６１Ａ５は、平面視略円弧状に形成されているので、下部筐体４７１内に偏光板保持枠４４６１を設置した際でも、該偏光板保持枠４４６１を円滑に回動することができる。
【００６６】
第１保持枠突出部４４６１Ｂは、第１板状部材４４６１Ａの係合部４４６１Ａ４の左右位置から第１板状部材４４６１Ａの略法線方向にそれぞれ所定寸法突出し、突出方向略中央部分で互いに接続する平面視Ｈ字状に形成されている。そして、第１板状部材４４６１Ａに対する第１保持枠突出部４４６１Ｂの基端部分の開口を介して外部の図示しない光軸調整治具が挿通可能となり、係合部４４６１Ａ４と光軸調整治具とが係合可能に構成されている。この第１保持枠突出部４４６１Ｂは、保持枠支持部４４７１の支持面４４７１Ａ（図４）に対応して、下方に向けて凹状に湾曲し、光束入射側または光束射出側から見た場合に、略円弧状に形成されている。
【００６７】
そして、第１保持枠突出部４４６１Ｂの下方側端面が回動面４４６１Ｂ１（図６）となり、偏光板保持枠４４６１は、保持枠支持部４４７１の支持面４４７１Ａ（図４）上に回動面４４６１Ｂ１が当接した状態で保持枠支持部４４７１に支持される。すなわち、偏光板保持枠４４６１は、保持枠支持部４４７１の支持面４４７１Ａ（図４）上で回動面４４６１Ｂ１が摺動可能な状態で支持され、光学部品用筐体４７内に設定される照明光軸Ｌを中心として照明光軸Ｌに直交する面内で入射側偏光板４４２Ａの位置調整が可能となっている。また、第１保持枠突出部４４６１Ｂの上方側端面（回動面４４６１Ｂ１の逆側の面）が、後述する回動補助部４４８を案内する第１案内面４４６１Ｂ２（図７）となり、補正板保持枠４４６２は、回動補助部４４８（座金４４８１）を介して、第１案内面４４６１Ｂ２上に摺動可能に支持される。
【００６８】
また、この第１保持枠突出部４４６１Ｂの接続部分には、略中央部分に第１案内面４４６１Ｂ２から回動面４４６１Ｂ１に貫通する長孔としてのトラック孔４４６１Ｂ３が形成されている。このトラック孔４４６１Ｂ３は、保持枠支持部４４７１に対する偏光板保持枠４４６１の摺動方向に延びるように形成されている。また、この第１保持枠突出部４４６１Ｂにおいて、第１板状部材４４６１Ａに対する該第１保持枠突出部４４６１Ｂの先端部分は、偏光板保持枠４４６１の回動を操作する偏光板位置操作部４４６１Ｂ４となる。この偏光板位置操作部４４６１Ｂ４の幅寸法は、保持枠位置調整部４４７の２つの回転防止規制部４４７３（図４）の離間した距離寸法よりも小さく形成されている。また、この偏光板位置操作部４４６１Ｂ４の幅方向略中央部分の切り欠き４４６１Ｂ５は、保持枠支持部４４７１上に偏光板保持枠４４６１を設置した際、保持枠位置調整部４４７における調整部材先端支持部４４７２（図４）の位置に対応する。
【００６９】
補正板保持枠４４６２は、図７に示すように、略矩形板状の第２板状部材４４６２Ａと、この第２板状部材４４６２Ａの上方側端縁から板面の略法線方向に突出する第２保持枠突出部４４６２Ｂとを備え、これら第２板状部材４４６２Ａおよび第２保持枠突出部４４６２Ｂが一体的に形成されたものである。また、第２板状部材４４６２Ａの略中央部分には、開口部４４６２Ａ１が形成されている。また、第２板状部材４４６２Ａの上下端縁および左右端縁の角隅部分には、第２板状部材４４６２Ａから光束射出側に突出し、視野角補正板４４４の外形位置基準面として機能する位置決め部４４６２Ａ２が形成されている。
【００７０】
視野角補正板４４４は、その外形を位置決め部４４６２Ａ２に合わせることで補正板保持枠４４６２に対する位置が規定され、接着剤等を介して第２板状部材４４６２Ａの所定位置に保持固定される。
【００７１】
また、第２板状部材４４６２Ａの上方側端縁略中央部分には、上方に向けて延出する平面視略三角形状の延出部４４６２Ａ３が形成されている。また、第２板状部材４４６２Ａの左右側端縁略中央部分には、第２板状部材４４６２Ａの板面に沿って外側に膨出する第２膨出部４４６２Ａ４が形成されている。そして、補正板保持枠４４６２を下部筐体４７１内に設置した際には、下部筐体４７１内に形成された図示しない溝部に第２膨出部４４６２Ａ４が挿入され、補正板保持枠４４６２が下部筐体４７１内に設定された照明光軸Ｌに沿った方向に移動することを防止する。また、第２膨出部４４６２Ａ４は、平面視略円弧状に形成されているので、下部筐体４７１内に補正板保持枠４４６２を設置した際でも、該補正板保持枠４４６２を円滑に回動することができる。
【００７２】
第２保持枠突出部４４６２Ｂは、第２板状部材４４６２Ａの延出部４４６２Ａ３の延出方向先端部分から第２板状部材４４６２Ａの略法線方向に所定方向突出する突出部４４６２Ｂ１と、この突出部４４６２Ｂ１の突出方向先端部分から左右方向に延出し、下方に向けて凹となるように湾曲する湾曲部４４６２Ｂ２とを備え、平面視略Ｔ字状に形成されている。突出部４４６２Ｂ１には、一方の端縁（図７中左側の端縁）から上方に向けて突出する回動操作部としての補正板位置操作部４４６２Ｂ３が形成されている。
【００７３】
湾曲部４４６２Ｂ２は、第１保持枠突出部４４６１Ｂの第１案内面４４６１Ｂ２に対応して、下方に向けて凹状に湾曲し、光束入射側または光束射出側から見た場合に、略円弧状に形成されている。そして、湾曲部４４６２Ｂ２の下方側端面（逆側面）が、後述する回動補助部４４８を案内する第２案内面４４６２Ｂ４（図６参照）となる。そして、補正板保持枠４４６２は、偏光板保持枠４４６１の第１案内面４４６１Ｂ２上方で、回動補助部４４８（座金４４８１）を介して、第２案内面４４６２Ｂ４が摺動可能な状態で支持され、光学部品用筐体４７内に設定される照明光軸Ｌを中心として照明光軸Ｌに直交する面内で視野角補正板４４４の位置調整が可能となっている。
【００７４】
また、湾曲部４４６２Ｂ２には、上方側端面から第２案内面４４６２Ｂ４に貫通する長孔としてのトラック孔４４６２Ｂ５が形成されている。このトラック孔４４６２Ｂ５は、湾曲部４４６２Ｂ２の延出方向、すなわち、偏光板保持枠４４６１に対する補正板保持枠４４６２の摺動方向に延びるように形成されている。ここで、保持枠支持部４４７１上に偏光板保持枠４４６１を設置し、偏光板保持枠４４６１の上に回動補助部４４８を設置し、さらに、この回動補助部４４８上に補正板保持枠４４６２を設置した状態では、各トラック孔４４６１Ｂ３，４４６２Ｂ５の一部が平面的に干渉する。また、各トラック孔４４６１Ｂ３，４４６２Ｂ５を介して保持枠支持部４４７１の固定用孔４４７１Ｂ（図４参照）が露出する。
【００７５】
回動補助部４４８は、本実施形態では、円盤状の部材としての座金４４８１を用いて構成されている。そして、座金４４８１は、偏光板保持枠４４６１と補正板保持枠４４６２との間に介在されている。この座金４４８１は、金属部材で形成されたいわゆる平座金を用いており、固定部材としてのねじ４４６３を挿通する孔４４８１Ａを有し、また、偏光板保持枠４４６１の第１案内面４４６１Ｂ２と補正板保持枠４４６２の第２案内面４４６２Ｂ４に載る外形を有している。なお、座金４４８１の上面と下面を座金面４４８１Ｂとする。
【００７６】
図８は、保持枠と回動補助部とを保持枠位置調整部に組み立てた状態を示す概略断面図である。図７、図８を参照して、保持枠４４６と回動補助部４４８とを、保持枠位置調整部４４７に組み立てる場合の手順に関して説明する。
【００７７】
最初に、保持枠位置調整部４４７の支持面４４７１Ａ上に偏光板保持枠４４６１を載置する、詳細には、保持枠位置調整部４４７の支持面４４７１Ａ上に当接させて偏光板保持枠４４６１の回動面４４６１Ｂ１を載置する。次に、偏光板保持枠４４６１に回動補助部４４８を載置する。詳細には、偏光板保持枠４４６１の第１案内面４４６１Ｂ２に座金４４８１を当接させて載置（トラック孔４４６１Ｂ３に座金４４８１の孔４４８１Ａを合わせて載置）する。次に、回動補助部４４８に補正板保持枠４４６２を載置する。詳細には、座金４４８１の座金面４４８１Ｂ上に当接させて補正板保持枠４４６２の第２案内面４４６２Ｂ４を載置する。
【００７８】
次に、図５〜図８に示すように、固定部材としてのねじ４４６３を補正板保持枠４４６２のトラック孔４４６２Ｂ５、座金４４８１の孔４４８１Ａ、偏光板保持枠４４６１のトラック孔４４６１Ｂ３に順次挿通し、固定用孔４４７１Ｂ（図４参照）に緩めた状態で螺合させる。これにより、偏光板保持枠４４６１、座金４４８１、および補正板保持枠４４６２は、保持枠支持部４４７１上に仮に固定された状態で設置される。なお、上述した組み立て手順は、作業のし易さを考慮して、適宜変更することができる。
【００７９】
ここで、偏光板保持枠４４６１の第１案内面４４６１Ｂ２と座金４４８１の座金面４４８１Ｂとは、概略、線接触する形態となる。また、座金４４８１の座金面４４８１Ｂと補正板保持枠４４６２の第２案内面４４６２Ｂ４との接触も、概略、線接触する形態となる。以上の構成により、図８に示すように、偏光板保持枠４４６１の第１案内面４４６１Ｂ２と、補正板保持枠４４６２の第２案内面４４６２Ｂ４とは、当接しない状態となる。
【００８０】
なお、上述した偏光板保持枠４４６１および補正板保持枠４４６２の材料としては、特に限定されないが、例えば、熱伝導性を有する部材から構成することが好ましい。このような熱伝導性部材にて構成することで、入射側偏光板４４２Ａおよび視野角補正板４４４が光源装置４１３から射出された光束により生じる熱を偏光板保持枠４４６１および補正板保持枠４４６２に放熱することができ、入射側偏光板４４２Ａおよび視野角補正板４４４の熱劣化を回避できる。例えば、前記熱伝導性部材としては、インバーおよび４２Ｎｉ−Ｆｅ等の鉄−ニッケル合金、アルミニウム合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【００８１】
図９は、入射側偏光板および視野角補正板の位置調整を実施する様子を示す図である。図９を参照して、入射側偏光板４４２Ａおよび視野角補正板４４４の位置調整の仕方を説明する。
【００８２】
上述したように、偏光板保持枠４４６１、座金４４８１、および補正板保持枠４４６２を、保持枠支持部４４７１（上部筐体４７２）上に仮に固定された状態で、入射側偏光板４４２Ａおよび視野角補正板４４４の位置調整を実施する。
【００８３】
この状態で、入射側偏光板４４２Ａの位置調整を実施する際には、先端が「−」の形状を有するドライバＤＲを偏光板保持枠４４６１の切り欠き４４６１Ｂ５を介して挿通させ、ドライバＤＲの先端を調整部材先端支持部４４７２の谷部分に支持させる。そして、ドライバＤＲの先端を支点としてドライバＤＲを左右に移動させることで、ドライバＤＲの側面と切り欠き４４６１Ｂ５の端縁とが当接し、ドライバＤＲの移動方向に沿って、偏光板保持枠４４６１が保持枠支持部４４７１の支持面４４７１Ａ上を摺動する。この偏光板保持枠４４６１の摺動により、入射側偏光板４４２Ａは、光学部品用筐体４７内に設定された照明光軸Ｌを中心として照明光軸Ｌと直交する面内で回動して位置調整される。
【００８４】
ここで、偏光板保持枠４４６１の偏光板位置操作部４４６１Ｂ４の幅寸法は、保持枠位置調整部４４７の２つの回転防止規制部４４７３の離間した距離寸法よりも小さく形成されているので、偏光板保持枠４４６１を保持枠支持部４４７１の支持面４４７１Ａ上を摺動させることができる。さらに、偏光板保持枠４４６１の摺動時に偏光板位置操作部４４６１Ｂ４の端部が回転防止規制部４４７３に当接することで偏光板保持枠４４６１の回動時の終端位置を規定する。
【００８５】
一方、視野角補正板４４４の位置調整を実施する際には、例えば、補正板保持枠４４６２の補正板位置操作部４４６２Ｂ３を手でつかみ、補正板位置操作部４４６２Ｂ３を左右に移動（回動）させる。この補正板位置操作部４４６２Ｂ３の移動方向に沿って、補正板保持枠４４６２は、偏光板保持枠４４６１との間に介在された座金４４８１を介して偏光板保持枠４４６１の第１案内面４４６１Ｂ２に沿って摺動する。詳細には、補正板位置操作部４４６２Ｂ３の移動方向に沿って、補正板保持枠４４６２の第２案内面４４６２Ｂ４は、偏光板保持枠４４６１の第１案内面４４６１Ｂ２上に載置した座金４４８１の座金面４４８１Ｂ上を当接しながら摺動する。この補正板保持枠４４６２の摺動により、視野角補正板４４４は、光学部品用筐体４７内に設定された照明光軸Ｌを中心として照明光軸Ｌと直交する面内で位置調整される。
【００８６】
そして、入射側偏光板４４２Ａおよび視野角補正板４４４の位置調整を終了した後、仮に固定した状態で設置していたねじ４４６３を固定用孔４４７１Ｂに締める。これにより、偏光板保持枠４４６１、座金４４８１、および補正板保持枠４４６２を上部筐体４７２に螺合固定する。以上の位置調整を行うことで、入射側偏光板４４２Ａおよび視野角補正板４４４の位置調整が完了する。
【００８７】
上述した実施形態によれば以下の効果が得られる。
（１）本実施形態の光学部品用筐体４７は、下部筐体４７１と、上部筐体４７２と、第１保持枠としての偏光板保持枠４４６１と第２保持枠としての補正板保持枠４４６２とを有する保持枠４４６と、回動補助部４４８と、を有して構成される。そして、偏光板保持枠４４６１は回動面４４６１Ｂ１を有し、上部筐体４７２に構成された支持面４４７１Ａを摺動して照明光軸Ｌを中心に回動することにより、偏光板保持枠４４６１が保持する入射側偏光板４４２Ａの取付け位置を調整する。また、補正板保持枠４４６２は、第２案内面４４６２Ｂ４を有し、第２案内面４４６２Ｂ４が偏光板保持枠４４６１の第１案内面４４６１Ｂ２に案内される回動補助部４４８（座金４４８１）を介して摺動することで照明光軸Ｌを中心に回動し、補正板保持枠４４６２が保持する視野角補正板４４４の取付け位置を調整する。これにより、偏光板保持枠４４６１を回動して入射側偏光板４４２Ａの取付け位置の調整を行った後、補正板保持枠４４６２を回動させる場合、第２案内面４４６２Ｂ４は座金４４８１を介して摺動することで、第２案内面４４６２Ｂ４は第１案内面４４６１Ｂ２と当接することがないため、補正板保持枠４４６２の回動が偏光板保持枠４４６１を回動させることを低減できる。また、補正板保持枠４４６２の回動が偏光板保持枠４４６１を回動させることを低減できる光学部品用筐体４７を、簡易な構成で実現することができる。
【００８８】
（２）本実施形態の光学部品用筐体４７は、偏光板保持枠４４６１および補正板保持枠４４６２には、それぞれトラック孔４４６１Ｂ３，４４６２Ｂ５が形成され、各トラック孔４４６１Ｂ３，４４６２Ｂ５は、少なくとも一部が互いに平面的に干渉する。また、上部筐体４７２の支持面４４７１Ａには、各トラック孔４４６１Ｂ３，４４６２Ｂ５を介して挿通される固定部材としてのねじ４４６３が取付けられる固定部材取付部としての固定用孔４４７１Ｂが形成されている。これにより、偏光板保持枠４４６１と座金４４８１と補正板保持枠４４６２とを、単一のねじ４４６３により固定することができ、各保持枠４４６の回動に応じた入射側偏光板４４２Ａおよび視野角補正板４４４の最適な位置で上部筐体４７２に各保持枠４４６を固定できる。
【００８９】
（３）本実施形態の回動補助部４４８は、円盤状の部材としての座金４４８１で構成される。このため、偏光板保持枠４４６１を回動して入射側偏光板４４２Ａの取付け位置の調整を行った後、補正板保持枠４４６２を回動させる場合、第２案内面４４６２Ｂ４は座金４４８１を介して摺動することで、第２案内面４４６２Ｂ４は偏光板保持枠４４６１の第１案内面４４６１Ｂ２と当接することがなく、また、偏光板保持枠４４６１の第１案内面４４６１Ｂ２と座金面４４８１Ｂ、第２案内面４４６２Ｂ４と座金面４４８１Ｂとの接触面積を低減できるため、補正板保持枠４４６２の回動が偏光板保持枠４４６１を回動させることを更に低減でき、効率的に位置調整が行える。
【００９０】
（４）本実施形態の偏光板保持枠４４６１は、入射側偏光板４４２Ａを保持し、補正板保持枠４４６２は、視野角補正板４４４を保持する。そして、偏光板保持枠４４６１を上部筐体４７２に対して回動させることで、射出側偏光板４４２Ｂに対する入射側偏光板４４２Ａの偏光軸の角度調整を実施できると共に、補正板保持枠４４６２を座金４４８１を介して偏光板保持枠４４６１に対して回動させることで、視野角補正板４４４における視野角調整を効率的に実施できる。したがって、光学ユニット４において、高コントラストかつ視野角の良好な光学像を形成できる。
【００９１】
（５）本実施形態のプロジェクタ１は、３つの液晶パネル４４１Ｒ，４４１Ｇ，４４１Ｂを備える三板式のプロジェクタである。そのため、保持枠４４６で各入射側偏光板４４２Ａおよび各視野角補正板４４４を光学部品用筐体４７により、効率的に、位置調整することで、高コントラスト比を実現しつつ、液晶パネル４４１Ｒ，４４１Ｇ，４４１Ｂ毎に生じる視野角依存性による画面ムラを抑制し、色ムラのない投射画像を形成できる。
（第２実施形態）
【００９２】
図１０は、第２実施形態に係る回動補助部の説明図であり、図１０（ａ）は、回動補助部の平面図であり、図１０（ｂ）は、回動補助部を保持枠に介在させた状態の断面図である。図１０を参照して、回動補助部４４９の構成および動作を説明する。
【００９３】
図１０に示すように、本実施形態の回動補助部４４９は、第１実施形態での回動補助部４４８が、円盤状の部材としての座金４４８１で構成されていたのに対し、薄板状の部材としての薄板部材４４９１で構成されているところが異なる。また、薄板部材４４９１は、図１０（ａ）に示すように、均一の厚さの薄板で、矩形状をなして形成されており、略中央部分に貫通する長孔となるトラック孔４４９１Ａが形成されている。このトラック孔４４９１Ａは、保持枠支持部４４７１に対する偏光板保持枠４４６１や補正板保持枠４４６２の摺動方向に延びるように形成されている。なお、薄板部材４４９１の上面と下面を薄板面４４９１Ｂとする。本実施形態の薄板部材４４９１は、シート状に成形された合成樹脂部材をプレス装置を使用して打ち抜いて加工されている。また、薄板部材４４９１は、滑らかな薄板面４４９１Ｂを有している。
【００９４】
また、図１０（ｂ）に示すように、上部筐体４７２には、この薄板部材４４９１を固定する薄板部材固定部４７２１が形成されている。薄板部材固定部４７２１は、回転防止規制部４４７３の光路後段側にそれぞれ位置し、上部筐体４７２の上面に立設されている。この薄板部材固定部４７２１は、断面視略Ｌ字状に形成され、互いに先端部が向き合うように設けられている。この薄板部材固定部４７２１は、薄板部材４４９１を保持枠４４６に介在させる際、薄板部材４４９１の先端部４４９１Ｃを案内して固定するものである。
【００９５】
図１０（ｂ）を参照して、保持枠４４６と回動補助部４４９とを、保持枠位置調整部４４７に組み立てる場合の手順に関して概略説明する。
最初に、保持枠位置調整部４４７の支持面４４７１Ａ上に当接させて偏光板保持枠４４６１の回動面４４６１Ｂ１を載置する。次に、偏光板保持枠４４６１の第１案内面４４６１Ｂ２に薄板部材４４９１の一方の薄板面４４９１Ｂを当接させて載置する。このとき、薄板部材４４９１を若干撓めることで、薄板部材４４９１の両側の先端部４４９１Ｃを薄板部材固定部４７２１にそれぞれ係合させる。次に、薄板部材４４９１の他方の薄板面４４９１Ｂ上に当接させて補正板保持枠４４６２の第２案内面４４６２Ｂ４を載置する。この状態において、薄板部材４４９１の他方の薄板面４４９１Ｂは、照明光軸Ｌを中心とする均一の径を有して円弧状の曲面となっている。
【００９６】
次に、固定部材としてのねじ４４６３を補正板保持枠４４６２のトラック孔４４６２Ｂ５、薄板部材４４９１のトラック孔４４９１Ａ、および偏光板保持枠４４６１のトラック孔４４６１Ｂ３に順次挿通し、固定用孔４４７１Ｂ（図４参照）に緩めた状態で螺合させる。これにより、偏光板保持枠４４６１、薄板部材４４９１、および補正板保持枠４４６２は、保持枠支持部４４７１上に仮に固定された状態で設置される。
【００９７】
入射側偏光板４４２Ａおよび視野角補正板４４４の位置調整は、第１実施形態と同様に行われる。なお、入射側偏光板４４２Ａの位置調整の際には、偏光板保持枠４４６１の回動面４４６１Ｂ１が保持枠支持部４４７１の支持面４４７１Ａ上を摺動すると共に、偏光板保持枠４４６１の第１案内面４４６１Ｂ２が薄板部材４４９１の一方の薄板面４４９１Ｂ上を摺動する。また、視野角補正板４４４の位置調整の際には、補正板保持枠４４６２の第２案内面４４６２Ｂ４が薄板部材４４９１の他方の薄板面４４９１Ｂ上を摺動する。このような動作により、入射側偏光板４４２Ａおよび視野角補正板４４４の位置調整が行われる。その後、仮に固定した状態で設置していたねじ４４６３を固定用孔４４７１Ｂに締める。これにより、偏光板保持枠４４６１、薄板部材４４９１、および補正板保持枠４４６２を上部筐体４７２に螺合固定する。以上の位置調整を行うことで、入射側偏光板４４２Ａおよび視野角補正板４４４の位置調整が完了する。
【００９８】
上述した実施形態によれば第１実施形態での効果が同様に得られる他、以下の効果が得られる。
（１）本実施形態の回動補助部４４９は、薄板状の部材としての薄板部材４４９１で構成される。このため、偏光板保持枠４４６１を回動して入射側偏光板４４２Ａの取付け位置の調整を行った後、補正板保持枠４４６２を回動させる場合、第２案内面４４６２Ｂ４は薄板部材４４９１の他方の薄板面４４９１Ｂ上を摺動することで、第２案内面４４６２Ｂ４は偏光板保持枠４４６１の第１案内面４４６１Ｂ２と当接することがなく、補正板保持枠４４６２の回動が偏光板保持枠４４６１を回動させることを防止できる。また、偏光板保持枠４４６１の第１案内面４４６１Ｂ２と薄板部材４４９１の一方の薄板面４４９１Ｂ、第２案内面４４６２Ｂ４と薄板部材４４９１の他方の薄板面４４９１Ｂとの摩擦を低減できるため、補正板保持枠４４６２の回動や、偏光板保持枠４４６１の回動が滑らかとなり、位置調整が効率的に行える。
（第３実施形態）
【００９９】
図１１は、第３実施形態に係る回動補助部の説明図であり、図１１（ａ）は、回動補助部の平面図であり、図１１（ｂ）は、回動補助部を保持枠に介在させた状態の断面図である。図１１を参照して、回動補助部４５０の構成および動作を説明する。
【０１００】
図１１に示すように、本実施形態の回動補助部４５０は、第１実施形態での回動補助部４４８が、円盤状の部材としての座金４４８１で構成されていたのに対し、線状の部材としての線部材４５０１で構成されているところが異なる。図１１（ａ）に示すように、線部材４５０１は、均一の線径の線材で形成されており、本実施形態では、線材としてピアノ線を使用し、該ピアノ線を所定の長さに切断して形成されている。また、線部材４５０１は、本実施形態では、線材および線形が同一の線部材４５０１を２つ使用している。
【０１０１】
また、図１１（ｂ）に示すように、上部筐体４７２には、この線部材４５０１を固定する線部材固定部４７２２が形成されている。線部材固定部４７２２は、回転防止規制部４４７３の光路後段側にそれぞれ位置し、上部筐体４７２の上面に立設されている。この線部材固定部４７２２は、線部材挿入孔４７２２Ａが２つずつ隣接して形成され、この線部材挿入孔４７２２Ａが互いに向き合うように設けられている。この線部材固定部４７２２は、線部材４５０１を保持枠４４６に介在させる際、線部材４５０１の両側の先端部４５０１Ａを線部材挿入孔４７２２Ａにそれぞれ挿入して固定するものである。
【０１０２】
図１１（ｂ）を参照して、保持枠４４６と回動補助部４５０とを、保持枠位置調整部４４７に組み立てる場合の手順に関して概略説明する。
最初に、保持枠位置調整部４４７の支持面４４７１Ａ上に当接させて偏光板保持枠４４６１の回動面４４６１Ｂ１を載置する。次に、偏光板保持枠４４６１の第１案内面４４６１Ｂ２に線部材４５０１を当接させて載置する。このとき、線部材４５０１を若干撓めることで、線部材４５０１の先端部４５０１Ａを線部材挿入孔４７２２Ａに挿入して固定する。なお、線部材４５０１の第１案内面４４６１Ｂ２への載置は、２つの線部材４５０１に対して行う。このとき、２つの線部材４５０１は、偏光板保持枠４４６１のトラック孔４４６１Ｂ３の長手方向に沿って、トラック孔４４６１Ｂ３を挟んだ形態で設置される。次に、２つの線部材４５０１上に当接させて補正板保持枠４４６２の第２案内面４４６２Ｂ４を載置する。この状態において、線部材４５０１は、照明光軸Ｌを中心とする均一の径を有して円弧状に湾曲している。
【０１０３】
次に、固定部材としてのねじ４４６３を補正板保持枠４４６２のトラック孔４４６２Ｂ５と偏光板保持枠４４６１のトラック孔４４６１Ｂ３に順次挿通し、固定用孔４４７１Ｂ（図４参照）に緩めた状態で螺合させる。これにより、偏光板保持枠４４６１、線部材４５０１、および補正板保持枠４４６２は、保持枠支持部４４７１上に仮に固定された状態で設置される。
【０１０４】
入射側偏光板４４２Ａおよび視野角補正板４４４の位置調整は、第１実施形態と同様に行われる。なお、入射側偏光板４４２Ａの位置調整の際には、偏光板保持枠４４６１の回動面４４６１Ｂ１が保持枠支持部４４７１の支持面４４７１Ａ上を摺動すると共に、偏光板保持枠４４６１の第１案内面４４６１Ｂ２が線部材４５０１の側面上を摺動する。また、視野角補正板４４４の位置調整の際には、補正板保持枠４４６２の第２案内面４４６２Ｂ４が線部材４５０１の側面上を摺動する。このような動作により、入射側偏光板４４２Ａおよび視野角補正板４４４の位置調整が行われる。その後、仮に固定した状態で設置していたねじ４４６３を固定用孔４４７１Ｂに締める。これにより、偏光板保持枠４４６１、線部材４５０１、および補正板保持枠４４６２を上部筐体４７２に螺合固定する。以上の位置調整を行うことで、入射側偏光板４４２Ａおよび視野角補正板４４４の位置調整が完了する。
【０１０５】
上述した実施形態によれば第１実施形態での効果が同様に得られる他、以下の効果が得られる。
（１）本実施形態の回動補助部４５０は、線状の部材としての線部材４５０１で構成される。このため、偏光板保持枠４４６１を回動して入射側偏光板４４２Ａの取付け位置の調整を行った後、補正板保持枠４４６２を回動させる場合、第２案内面４４６２Ｂ４は線部材４５０１の側面上を摺動することで、第２案内面４４６２Ｂ４は偏光板保持枠４４６１の第１案内面４４６１Ｂ２と当接することがなく、補正板保持枠４４６２の回動が偏光板保持枠４４６１を回動させることを防止できる。また、偏光板保持枠４４６１の第１案内面４４６１Ｂ２と線部材４５０１の側面、第２案内面４４６２Ｂ４と線部材４５０１の側面とは、それぞれ、線接触することになり、面接触に比べて摩擦を低減できるため、補正板保持枠４４６２の回動や、偏光板保持枠４４６１の回動が滑らかとなり、位置調整が効率的に行える。
（第４実施形態）
【０１０６】
図１２は、第４実施形態に係る回動補助部を示す斜視図である。図１３は、回動補助部を構成した保持枠を組み立てた状態の断面図である。図１２、図１３を参照して、回動補助部４５１の構成および動作を説明する。
【０１０７】
図１２、図１３に示すように、本実施形態の回動補助部４５１は、第１実施形態での回動補助部４４８が、円盤状の部材としての座金４４８１で構成されていたのに対し、偏光板保持枠４４６１の第１案内面４４６１Ｂ２上に、断面凸状に形成された突起部４５１１として構成されているところが異なる。図１２に示すように、突起部４５１１は、偏光板保持枠４４６１の第１案内面４４６１Ｂ２上に形成されたトラック孔４４６１Ｂ３の長手方向に沿って、断面略三角形状（凸状）に突設されて、トラック孔４４６１Ｂ３を挟み、２つ形成されている。本実施形態の回動補助部４５１を構成する突起部４５１１は、偏光板保持枠４４６１と一体に形成されている。なお、突起部４５１１の断面略三角形状に突設された稜線部分となる面を突起部先端面４５１１Ａとする。
【０１０８】
図１３を参照して、保持枠４４６と回動補助部４５１とを、保持枠位置調整部４４７に組み立てる場合の手順に関して概略説明する。
最初に、保持枠位置調整部４４７の支持面４４７１Ａ上に当接させて偏光板保持枠４４６１の回動面４４６１Ｂ１を載置する。次に、偏光板保持枠４４６１に形成された突起部４５１１の突起部先端面４５１１Ａに当接させて補正板保持枠４４６２の第２案内面４４６２Ｂ４を載置する。なお、突起部４５１１の突起部先端面４５１１Ａは、照明光軸Ｌを中心とする均一の径を有して円弧状に形成されている。
【０１０９】
次に、固定部材としてのねじ４４６３を補正板保持枠４４６２のトラック孔４４６２Ｂ５と偏光板保持枠４４６１のトラック孔４４６１Ｂ３に順次挿通し、固定用孔４４７１Ｂ（図４参照）に緩めた状態で螺合させる。これにより、偏光板保持枠４４６１（突起部４５１１を含む）および補正板保持枠４４６２は、保持枠支持部４４７１上に仮に固定された状態で設置される。
【０１１０】
入射側偏光板４４２Ａおよび視野角補正板４４４の位置調整は、第１実施形態と同様に行われる。なお、入射側偏光板４４２Ａの位置調整の際には、偏光板保持枠４４６１の回動面４４６１Ｂ１が保持枠支持部４４７１の支持面４４７１Ａ上を摺動する。また、視野角補正板４４４の位置調整の際には、補正板保持枠４４６２の第２案内面４４６２Ｂ４が偏光板保持枠４４６１の突起部４５１１の突起部先端面４５１１Ａ上を摺動する。このような動作により、入射側偏光板４４２Ａおよび視野角補正板４４４の位置調整が行われる。その後、仮に固定した状態で設置していたねじ４４６３を固定用孔４４７１Ｂに締める。これにより、偏光板保持枠４４６１および補正板保持枠４４６２を上部筐体４７２に螺合固定する。以上の位置調整を行うことで、入射側偏光板４４２Ａおよび視野角補正板４４４の位置調整が完了する。
【０１１１】
上述した実施形態によれば第１実施形態での効果が同様に得られる他、以下の効果が得られる。
（１）本実施形態の回動補助部４５１は、偏光板保持枠４４６１の第１案内面４４６１Ｂ２上に、断面凸状に形成された突起部４５１１として構成される。このため、偏光板保持枠４４６１を回動して入射側偏光板４４２Ａの取付け位置の調整を行った後、補正板保持枠４４６２を回動させる場合、第２案内面４４６２Ｂ４は突起部４５１１の突起部先端面４５１１Ａ上を摺動することで、第２案内面４４６２Ｂ４は偏光板保持枠４４６１の第１案内面４４６１Ｂ２と当接することがなく、また、第２案内面４４６２Ｂ４は突起部先端面４５１１Ａと線接触することにより、面接触に比べて摩擦を低減できるため、補正板保持枠４４６２の回動が偏光板保持枠４４６１を回動させることを低減できる。また、補正板保持枠４４６２の回動や、偏光板保持枠４４６１の回動が滑らかとなり、位置調整が効率的に行える。
【０１１２】
なお、上述した実施形態に限定されず、種々の変更や改良などを加えて実施することが可能である。変形例を以下に述べる。
【０１１３】
（変形例１）前記実施形態では、第１保持枠としての偏光板保持枠４４６１で入射側偏光板４４２Ａを保持し、第２保持枠としての補正板保持枠４４６２で視野角補正板４４４を保持する構成を説明したが、これに限られず、第１保持枠および第２保持枠にその他の近接配置される２つの光学部品をそれぞれ保持させる構成を採用してもよい。例えば、この光学部品としては、入射側偏光板４４２Ａ、視野角補正板４４４の他、射出側偏光板４４２Ｂ、位相差板、色補正膜等が例示できる。
【０１１４】
（変形例２）前記第１実施形態において、回動補助部４４８は、円盤状の部材として、金属部材の座金４４８１を用いて構成されている。しかし、これに限られず、円盤状の部材として、合成樹脂部材を使用してもよい。その際、例えば、シート状に成形された合成樹脂部材をプレス装置を使用して円盤状に打ち抜いて加工してもよく、同様の効果を奏する。
【０１１５】
（変形例３）前記第２実施形態において、回動補助部４４９は、薄板状の部材としての薄板部材４４９１で構成されている。しかし、これに限られず、薄板状の部材として薄板部材４４９１の形状および機能を有する薄板部材を上部筐体４７２に一体に形成することでもよい。保持枠位置調整部４４７の支持面４４７１Ａ上に当接させて偏光板保持枠４４６１の回動面４４６１Ｂ１を載置する際には、偏光板保持枠４４６１の第１保持枠突出部４４６１Ｂを、保持枠位置調整部４４７の支持面４４７１Ａと、上部筐体４７２に一体に形成される薄板部材との隙間に挿入することで、載置することができる。
【０１１６】
（変形例４）前記第２実施形態において、薄板部材４４９１は、シート状に成形された合成樹脂部材をプレス装置を使用して打ち抜いて加工されている。しかし、これに限られず、薄板部材４４９１は、シート状に成形された金属部材をプレス装置を使用して打ち抜いて加工してもよく、同様の効果を奏する。
【０１１７】
（変形例５）前記第４実施形態において、回動補助部４５１は、偏光板保持枠４４６１の第１案内面４４６１Ｂ２上に、断面凸状に形成された突起部４５１１として構成される。しかし、これに限られず、回動補助部４５１は、補正板保持枠４４６２の第２案内面４４６２Ｂ４上に、断面凸状の突起部４５１１として構成してもよい。その際、第２案内面４４６２Ｂ４上のトラック孔４４６２Ｂ５の長手方向に沿って、トラック孔４４６２Ｂ５を挟み、２つ形成させる。また、突起部先端面４５１１Ａは、照明光軸Ｌを中心とする均一の径を有して円弧状に形成することでよく、同様の効果を奏する。
【０１１８】
（変形例６）前記第４実施形態において、回動補助部４５１は、偏光板保持枠４４６１の第１案内面４４６１Ｂ２上に、断面凸状に形成された突起部４５１１として構成されている。そして、突起部４５１１は、トラック孔４４６１Ｂ３の長手方向に沿って、断面略三角形状（凸状）に突設されて、トラック孔４４６１Ｂ３を挟み、２つ形成されている。しかし、これに限られず、第１案内面４４６１Ｂ２上に半球面状の突起を突起部として複数形成することでもよい。その際、複数の半球面状の突起の頂点を結んだ場合、照明光軸Ｌを中心とする均一の径を有するように形成することでよく、同様の効果を奏する。また、このような半球面状の複数の突起を突起部として補正板保持枠４４６２の第２案内面４４６２Ｂ４上に同様に形成してもよい。
【０１１９】
（変形例７）前記第４実施形態において、突起部４５１１は、偏光板保持枠４４６１の第１案内面４４６１Ｂ２上に形成されたトラック孔４４６１Ｂ３の長手方向に沿って、断面略三角形状（凸状）に突設されて、トラック孔４４６１Ｂ３を挟み、２つ形成されている。しかし、これに限られず、補正板保持枠４４６２が偏光板保持枠４４６１上に安定して載置できればよいため、突起部の断面形状や、第１案内面４４６１Ｂ２上における突起位置なども適宜変更や改良することができる。このことは、第２案内面４４６２Ｂ４上に突起部を設置する場合も同様となる。
【０１２０】
（変形例８）前記実施形態では、３つの液晶パネル４４１を用いたプロジェクタ１を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
また、前記実施形態では、光学ユニット４は、平面視略Ｕ字状の形状を有していたが、その他の形状を採用してもよく、例えば、平面視略Ｌ字状の形状としてもよい。
【０１２１】
（変形例９）前記実施形態では、光入射面と光射出面とが異なる透過型の光変調装置を用いたが、光入射面と光射出面とが同一となる反射型の光変調装置を用いてもよい。
また、前記実施形態では、スクリーンを観察する方向から投写を行うフロントタイプのプロジェクタの例のみを説明したが、スクリーンを観察する方向とは反対側から投写を行うリアタイプのプロジェクタにも適用可能である。
【０１２２】
（変形例１０）前記実施形態のプロジェクタ１の光学系において、インテグレータ照明光学系４１を構成する光源装置４１３は、放電式ランプを用いているが、これに限られず、ＬＥＤ（Light Emitting Diode）、ＬＤ（Laser Diode）などを用いることができる。
【０１２３】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【０１２４】
【図１】第１実施形態に係るプロジェクタの概略構成を示す図。
【図２】光学ユニットを上方から見た斜視図。
【図３】光学ユニットの光学系を模式的に示す図。
【図４】位置調整機構を構成する上部筐体における電気光学装置側の一部分を上方から見た図。
【図５】位置調整機構を構成する保持枠および回動補助部を上方から見た斜視図。
【図６】位置調整機構を構成する保持枠および回動補助部を下方から見た斜視図。
【図７】保持枠と回動補助部と固定部材の斜視図および組立図。
【図８】保持枠と回動補助部とを保持枠位置調整部に組み立てた状態を示す概略断面図。
【図９】入射側偏光板および視野角補正板の位置調整を実施する様子を示す図。
【図１０】第２実施形態に係る回動補助部の説明図であり、（ａ）は回動補助部の平面図であり、（ｂ）は回動補助部を保持枠に介在させた状態の断面図。
【図１１】第３実施形態に係る回動補助部の説明図であり、（ａ）は回動補助部の平面図であり、（ｂ）は回動補助部を保持枠に介在させた状態の断面図。
【図１２】第４実施形態に係る回動補助部を示す斜視図。
【図１３】回動補助部を構成した保持枠を組み立てた状態の断面図。
【符号の説明】
【０１２５】
１…プロジェクタ、４…光学ユニット、４７…光学部品用筐体、４４２Ａ…入射側偏光板、４４４…視野角補正板、４４５…位置調整機構、４４６…保持枠、４４７…保持枠位置調整部、４４８，４４９，４５０，４５１…回動補助部、４７１…下部筐体、４７２…上部筐体、４４６１…偏光板保持枠、４４６１Ｂ１…回動面、４４６１Ｂ２…第１案内面、４４６２…補正板保持枠、４４６２Ｂ４…第２案内面、４４６３…ねじ、４４７１…保持枠支持部、４４７１Ａ…支持面、４４７１Ｂ…固定用孔、４４８１…座金、４４９１…薄板部材、４５０１…線部材、４５１１…突起部、Ｌ…照明光軸。
【図１】
2009086572.tif 000003
【図２】
2009086572.tif 000004
【図３】
2009086572.tif 000005
【図４】
2009086572.tif 000006
【図５】
2009086572.tif 000007
【図６】
2009086572.tif 000008
【図７】
2009086572.tif 000009
【図８】
2009086572.tif 000010
【図９】
2009086572.tif 000011
【図１０】
2009086572.tif 000012
【図１１】
2009086572.tif 000013
【図１２】
2009086572.tif 000014
【図１３】
2009086572.tif 000015